(57)【特許請求の範囲】
【請求項１】
映像信号に応じた映像を表示する表示パネルと、該表示パネルを照明する光源としてＬＥＤを使用したバックライトとを有し、該バックライトを複数の領域に分割して得られる領域ごとに、前記ＬＥＤの発光輝度を、前記分割して得られた各領域に対応する映像領域の階調値と前記ＬＥＤの発光輝度との間の所定の関係に基づいて制御する映像表示装置であって、
前記映像の階調値が所定の条件を満たす場合に、前記映像領域の階調値の、前記所定の条件に基づいて決定される第１の範囲における前記ＬＥＤの発光輝度の変動範囲が、前記所定の関係に基づいて決定される該ＬＥＤの発光輝度の変動範囲よりも小さくなるよう該ＬＥＤの発光輝度を調整する第１の輝度調整部と、
前記第１の範囲よりも値が小さい第２の範囲において、前記第１の輝度調整部により調整された前記ＬＥＤの発光輝度の下限値よりも小さい発光輝度になるよう該ＬＥＤの発光輝度を調整する第２の輝度調整部と、
を備え、
前記所定の条件は、前記映像の階調値の度数分布を生成し、該映像の階調値が所定の階調値よりも大きい階調範囲において度数が大きい上位２つの階調値を抽出した場合に、前記階調範囲における階調値の度数の合計に対する前記上位２つの階調値の度数の合計の割合が、所定の割合よりも大きい条件であることを特徴とする映像表示装置。
【請求項２】
前記所定の割合は、前記映像の階調値が前記所定の条件を満たしていない状態で、該映像の階調値が該所定の条件を満たすか否かを判定する場合と、前記映像の階調値が前記所定の条件を満たしている状態で、該映像の階調値が該所定の条件を満たすか否かを判定する場合とで、異なる割合に設定されることを特徴とする請求項１に記載の映像表示装置。
【請求項３】
前記第１の輝度調整部は、複数のフレームの前記映像の階調値が、所定のフレーム数以上連続して前記所定の条件を満たす場合に、前記ＬＥＤの発光輝度を調整することを特徴とする請求項１または２に記載の映像表示装置。
【請求項４】
前記第１の輝度調整部は、前記第１の範囲内における前記ＬＥＤの発光輝度を、該第１の範囲の上限値において前記所定の関係に基づいて決定される該ＬＥＤの発光輝度よりも小さい発光輝度に調整することを特徴とする請求項１〜３のいずれか１項に記載の映像表示装置。
【請求項５】
前記第１の輝度調整部は、前記第１の範囲内における前記ＬＥＤの発光輝度を、該第１の範囲の上限値において前記所定の関係に基づいて決定される該ＬＥＤの発光輝度に調整することを特徴とする請求項１〜３のいずれか１項に記載の映像表示装置。
【請求項６】
前記第２の輝度調整部は、前記映像信号において所定の階調値よりも小さい階調値となる画素数の全画素数に対する割合が所定の割合よりも大きいことを検出した場合に、前記第２の範囲において、前記ＬＥＤの発光輝度のみを該検出前の発光輝度よりも小さくなるよう調整することを特徴とする請求項１〜５のいずれか１項に記載の映像表示装置。
【請求項７】
前記映像表示装置の周囲照度を検出する照度検出部をさらに備え、前記第２の輝度調整部は、前記周囲照度が所定の値よりも小さいことが検出された場合に、前記第２の範囲において、前記ＬＥＤの発光輝度のみを該検出前の発光輝度よりも小さくなるよう調整することを特徴とする請求項１〜６のいずれか１項に記載の映像表示装置。
【請求項８】
前記第１の輝度調整部は、映像表示モードの指定を受け付けた場合に、前記映像領域の階調値の第１の範囲における前記ＬＥＤの発光輝度の変動範囲が、前記所定の関係に基づいて決定される該ＬＥＤの発光輝度の変動範囲よりも小さくなるよう、前記映像表示モードの種類に応じて予め定められた関係を用いて該ＬＥＤの発光輝度を調整し、前記第２の輝度調整部は、前記第２の範囲において、前記第１の輝度調整部により調整された前記ＬＥＤの発光輝度の下限値よりも小さい発光輝度になるよう、前記映像表示モードの種類に応じて予め定められた関係を用いて該ＬＥＤの発光輝度を調整することを特徴とする請求項１〜７のいずれか１項に記載の映像表示装置。
【請求項９】
前記第１の輝度調整部および／または前記第２の輝度調整部は、前記ＬＥＤの発光輝度を調整する場合に、該調整前の発光輝度から該調整後の発光輝度への変更を所定数のフレームにわたって段階的に行うことを特徴とする請求項１〜８のいずれか１項に記載の映像表示装置。
【請求項１０】
前記第１の輝度調整部は、第１の範囲よりも値が大きい第３の範囲において、前記ＬＥＤの発光輝度を、前記所定の関係に基づいて決定される該ＬＥＤの発光輝度よりも小さい発光輝度となるよう調整することを特徴とする請求項１〜９のいずれか１項に記載の映像表示装置。
【請求項１１】
前記第３の範囲における前記ＬＥＤの発光輝度の調整量Ｙは、前記第１の範囲の下限値における前記ＬＥＤの発光輝度の調整量Ｘ、前記第１の範囲の下限値に対応する前記映像の階調値Ａの度数、前記第１の範囲の上限値に対応する前記映像の階調値Ｂの度数に基づいて次式のように決定されることを特徴とする請求項１０に記載の映像表示装置。
Ｙ＝Ｘ×（階調値Ａの度数）／（階調値Ｂの度数）×（調整係数）
【発明の詳細な説明】
【技術分野】
【０００１】
本発明は、映像信号に応じた映像を表示する表示パネルと、表示パネルを照明する光源としてＬＥＤを使用したバックライトとを有し、バックライトを複数の領域に分割して得られる領域ごとに、ＬＥＤの発光輝度を、分割して得られた各領域に対応する映像領域の階調値とＬＥＤの発光輝度との間の所定の関係に基づいて制御する映像表示装置に関する。
【背景技術】
【０００２】
近年、表示パネルの照明用としてＬＥＤ（Light Emitting Diode）バックライトを用いた映像表示装置が普及している。ＬＥＤバックライトでは、ローカルディミングの技術を利用できるという利点がある。ローカルディミングとは、バックライトを複数の領域に分割し、それぞれの領域に対応する映像領域の輝度値に応じて領域ごとにＬＥＤの発光を制御する技術である。
【０００３】
ローカルディミングの技術を用いて表示された映像を斜めから見た場合、映像によってはハロが発生することがある。例えば、輝度がほぼ一様なパターンの中に輝度が大きいパターンを含む映像を斜めから見ると、輝度が大きいパターンの周りに光漏れによりハロが発生する。
【０００４】
図１５は、ハロが発生した映像の一例を示す図である。図１５（Ａ）には、ほぼ一様なグレーのパターン１の中に、白のパターン２が含まれる映像が示されている。また、図１５（Ａ）には、バックライトの分割領域３が、映像に重ねて示されている。
【０００５】
図１５（Ｂ）には、図１５（Ａ）の線Ａ−Ａ’に沿ったＬＥＤの発光輝度４、５と、そのＬＥＤの発光により得られるバックライトの輝度分布６と、液晶パネルの出力階調値７が示されている。ローカルディミングでは、各分割領域３のＬＥＤの発光輝度４、５は、各分割領域３に対応する各映像領域の階調値に応じて決定される。図１５（Ｂ）では、各映像領域の階調値として、各映像領域に含まれる画素の階調値の最大値が用いられている。
【０００６】
この例では、グレーのパターン１に完全に含まれる分割領域３のＬＥＤの発光輝度４は、白のパターン２に完全に、あるいは、一部含まれる分割領域３のＬＥＤの発光輝度５よりも小さい発光輝度に決定される。液晶パネルの出力階調値７は、ＬＥＤの発光により得られるバックライトの輝度分布６に基づいて、最終的に表示される映像の画質がもとの映像の画質と等価になるように決定される。
【０００７】
しかし、グレーのパターン１に対応するＬＥＤの発光輝度４と、白のパターン２に対応するＬＥＤの発光輝度５の差が大きい場合、映像を斜めから見ると、図１５（Ｃ）に示すように、白のパターン２の周りに光漏れによりハロが発生することがある。このようなハロの発生を抑制するため、映像の暗部を照明するＬＥＤの輝度を上昇させる技術がある（特許文献１を参照）。
【０００８】
図１６は、この従来技術について説明する図である。図１６（Ａ）は、図１５（Ａ）と同じ図である。この従来技術では、図１６（Ｂ）に示すように、グレーのパターン１に対応するＬＥＤの発光輝度４を大きくすることにより、その発光輝度４と、白のパターン２に対応するＬＥＤの発光輝度５の差を小さくする。これにより、図１６（Ｃ）に示すように、白のパターン２の周りにハロが発生することを抑制する。
【先行技術文献】
【特許文献】
【０００９】
【特許文献１】特開２０１０−７９２３６号公報
【発明の概要】
【発明が解決しようとする課題】
【００１０】
しかしながら、黒のパターンを含む映像に対して特許文献１の従来技術を適用することとすると、黒のパターンの映像領域に対応する分割領域において、ＬＥＤの発光輝度が大きくなるため、黒浮きが発生する可能性があった。
【００１１】
図１７は、黒のパターンを含む映像の一例を示す図である。図１７（Ａ）に示すように、この映像には、ほぼ一様なグレーのパターン１の中に、白のパターン２が含まれており、また、黒のパターン８も含まれている。
【００１２】
特許文献１の従来技術を用いないローカルディミングでは、図１７（Ｂ）に示すように、グレーのパターン１に完全に含まれる分割領域３のＬＥＤの発光輝度４は、白のパターン２に完全に、あるいは、一部含まれる分割領域３のＬＥＤの発光輝度５よりも小さい発光輝度に決定される。また、黒のパターン８に完全に含まれる分割領域３のＬＥＤの発光輝度は、ほぼ０となる。
【００１３】
この場合、黒のパターン８における黒浮きは極めて少ない。しかし、図１５の例と同様に、グレーのパターン１に対応するＬＥＤの発光輝度４と、白のパターン２に対応するＬＥＤの発光輝度５の差が大きい場合、映像を斜めから見ると、図１７（Ｃ）に示すように、白のパターン２の周りにハロが発生することがある。
【００１４】
図１８は、黒のパターンを含む映像に対する特許文献１の従来技術の適用について説明する図である。図１８（Ａ）は、図１７（Ａ）と同じ図である。特許文献１の従来技術では、図１８（Ｂ）に示すように、グレーのパターン１に対応するＬＥＤの発光輝度４だけでなく、黒のパターン８に対応するＬＥＤの発光輝度９も一律に増加させるため、白のパターン２の周りにおけるハロの発生は抑制できるが、黒のパターン８における黒浮きが顕著になる可能性がある。
【００１５】
本発明は、上記課題に鑑み、ハロの発生だけでなく、黒浮きも効果的に抑制することができる映像表示装置を提供することを目的とする。
【課題を解決するための手段】
【００１６】
上記課題を解決する為に、本発明の第１の技術手段は、映像信号に応じた映像を表示する表示パネルと、該表示パネルを照明する光源としてＬＥＤを使用したバックライトとを有し、該バックライトを複数の領域に分割して得られる領域ごとに、前記ＬＥＤの発光輝度を、前記分割して得られた各領域に対応する映像領域の階調値と前記ＬＥＤの発光輝度との間の所定の関係に基づいて制御する映像表示装置であって、前記映像の階調値が所定の条件を満たす場合に、前記映像領域の階調値の、前記所定の条件に基づいて決定される第１の範囲における前記ＬＥＤの発光輝度の変動範囲が、前記所定の関係に基づいて決定される該ＬＥＤの発光輝度の変動範囲よりも小さくなるよう該ＬＥＤの発光輝度を調整する第１の輝度調整部と、前記第１の範囲よりも値が小さい第２の範囲において、前記第１の輝度調整部により調整された前記ＬＥＤの発光輝度の下限値よりも小さい発光輝度になるよう該ＬＥＤの発光輝度を調整する第２の輝度調整部と、を備えることを特徴とする。
【００１７】
そして、本発明の第１の技術手段は、前記所定の条件は、前記映像の階調値の度数分布を生成し、該映像の階調値が所定の階調値よりも大きい階調範囲において度数が大きい上位２つの階調値を抽出した場合に、前記階調範囲における階調値の度数の合計に対する前記上位２つの階調値の度数の合計の割合が、所定の割合よりも大きい条件であることを特徴とする。
【００１８】
本発明の第２の技術手段は、第１の技術手段において、前記所定の割合は、前記映像の階調値が前記所定の条件を満たしていない状態で、該映像の階調値が該所定の条件を満たすか否かを判定する場合と、前記映像の階調値が前記所定の条件を満たしている状態で、該映像の階調値が該所定の条件を満たすか否かを判定する場合とで、異なる割合に設定されることを特徴とする。
【００１９】
本発明の第３の技術手段は、第１または第２の技術手段において、前記第１の輝度調整部は、複数のフレームの前記映像の階調値が、所定のフレーム数以上連続して前記所定の条件を満たす場合に、前記ＬＥＤの発光輝度を調整することを特徴とする。
【００２０】
本発明の第４の技術手段は、第１〜第３のいずれかの技術手段において、前記第１の輝度調整部は、前記第１の範囲内における前記ＬＥＤの発光輝度を、該第１の範囲の上限値において前記所定の関係に基づいて決定される該ＬＥＤの発光輝度よりも小さい発光輝度に調整することを特徴とする。
【００２１】
本発明の第５の技術手段は、第１〜第３のいずれかの技術手段において、前記第１の輝度調整部は、前記第１の範囲内における前記ＬＥＤの発光輝度を、該第１の範囲の上限値において前記所定の関係に基づいて決定される該ＬＥＤの発光輝度に調整することを特徴とする。
【００２２】
本発明の第６の技術手段は、第１〜第５のいずれかの技術手段において、前記第２の輝度調整部は、前記映像信号において所定の階調値よりも小さい階調値となる画素数の全画素数に対する割合が所定の割合よりも大きいことを検出した場合に、前記第２の範囲において、前記ＬＥＤの発光輝度のみを該検出前の発光輝度よりも小さくなるよう調整することを特徴とする。
【００２３】
本発明の第７の技術手段は、第１〜第６のいずれかの技術手段において、前記映像表示装置の周囲照度を検出する照度検出部をさらに備え、前記第２の輝度調整部は、前記周囲照度が所定の値よりも小さいことが検出された場合に、前記第２の範囲において、前記ＬＥＤの発光輝度のみを該検出前の発光輝度よりも小さくなるよう調整することを特徴とする。
【００２４】
本発明の第８の技術手段は、第１〜第７のいずれかの技術手段において、前記第１の輝度調整部は、映像表示モードの指定を受け付けた場合に、前記映像領域の階調値の第１の範囲における前記ＬＥＤの発光輝度の変動範囲が、前記所定の関係に基づいて決定される該ＬＥＤの発光輝度の変動範囲よりも小さくなるよう、前記映像表示モードの種類に応じて予め定められた関係を用いて該ＬＥＤの発光輝度を調整し、前記第２の輝度調整部は、前記第２の範囲において、前記第１の輝度調整部により調整された前記ＬＥＤの発光輝度の下限値よりも小さい発光輝度になるよう、前記映像表示モードの種類に応じて予め定められた関係を用いて該ＬＥＤの発光輝度を調整することを特徴とする。
【００２５】
本発明の第９の技術手段は、第１〜第８のいずれかの技術手段において、前記第１の輝度調整部および／または前記第２の輝度調整部は、前記ＬＥＤの発光輝度を調整する場合に、該調整前の発光輝度から該調整後の発光輝度への変更を所定数のフレームにわたって段階的に行うことを特徴とする。
【００２６】
本発明の第１０の技術手段は、第１〜第９のいずれかの技術手段において、前記第１の輝度調整部は、第１の範囲よりも値が大きい第３の範囲において、前記ＬＥＤの発光輝度を、前記所定の関係に基づいて決定される該ＬＥＤの発光輝度よりも小さい発光輝度となるよう調整することを特徴とする。
【００２７】
本発明の第１１の技術手段は、第１０の技術手段において、前記第３の範囲における前記ＬＥＤの発光輝度の調整量Ｙは、前記第１の範囲の下限値における前記ＬＥＤの発光輝度の調整量Ｘ、前記第１の範囲の下限値に対応する前記映像の階調値Ａの度数、前記第１の範囲の上限値に対応する前記映像の階調値Ｂの度数に基づいて次式のように決定されることを特徴とする。
Ｙ＝Ｘ×（階調値Ａの度数）／（階調値Ｂの度数）×（調整係数）
【発明の効果】
【００２８】
本発明の映像表示装置は、映像信号に応じた映像を表示する表示パネルと、表示パネルを照明する光源としてＬＥＤを使用したバックライトとを有し、バックライトを複数の領域に分割して得られる領域ごとに、ＬＥＤの発光輝度を、分割して得られた各領域に対応する映像領域の階調値とＬＥＤの発光輝度との間の所定の関係に基づいて制御する。そして、映像の階調値が所定の条件を満たす場合に、映像領域の階調値の第１の範囲におけるＬＥＤの発光輝度の変動範囲が、上記所定の関係に基づいて決定されるＬＥＤの発光輝度の変動範囲よりも小さくなるようＬＥＤの発光輝度を調整し、第１の範囲よりも値が小さい第２の範囲において、上記調整されたＬＥＤの発光輝度の下限値よりも小さい発光輝度になるようＬＥＤの発光輝度を調整することとしたので、ハロの発生だけでなく、低階調表示部における黒浮きも効果的に抑制することができる。
【図面の簡単な説明】
【００２９】
【図１】本発明に係る映像表示装置の要部の構成例について説明する図である。
【図２】入力映像がハロの発生しやすい映像であるか否かを判定する方法の一例について説明する図である。
【図３】ＬＥＤの発光輝度の補正レベル算出方法について説明する図である。
【図４】図３における入力映像階調値Ａ、Ｂ’の決定方法について説明する図である。
【図５】黒のパターンを含む映像に対する本発明の適用について説明する図である。
【図６】ＬＥＤ発光輝度値の決定に用いられる各種のグラフを示す図である。
【図７】映像表示モード切り替え時、若しくは映像の変化により補正レベルが変化する時のグラフ形状の変更について説明する図である。
【図８】ハロの発生しやすい映像か否かの判定に応じて行われるグラフ形状の変更について説明する図である。
【図９】ハロ対策をしない場合の表示輝度について説明する図である。
【図１０】ハロ対策をする場合の表示輝度について説明する図である。
【図１１】ハロが顕著に発生する場合のハロの抑制について説明する図である。
【図１２】本発明に係るハロの抑制方法について説明する図である。
【図１３】図１２に示したハロの抑制方法におけるＬＥＤ発光輝度の補正レベル算出方法について説明する図である。
【図１４】図１３における入力映像階調値Ａ、Ｂの決定方法について説明する図である。
【図１５】ハロが発生した映像の一例を示す図である。
【図１６】従来技術について説明する図である。
【図１７】黒のパターンを含む映像の一例を示す図である。
【図１８】黒のパターンを含む映像に対する従来技術の適用について説明する図である。
【発明を実施するための形態】
【００３０】
以下、本発明の実施形態について図面を参照して詳細に説明する。図１は、本発明に係る映像表示装置の要部の構成例について説明する図である。この映像表示装置は、入力映像信号に画像処理を行って、映像表示する構成を有するものであり、テレビジョン装置等に適用可能なものである。
【００３１】
ハロ判定部１０は、入力映像がハロの発生しやすい映像であるか否かを判定する。図２は、この判定方法の一例について説明する図である。図２には、入力映像にほぼ一様なグレーのパターン１と、白のパターン２と、黒のパターン３が含まれている場合が示されている。
【００３２】
例えば、ハロ判定部１０は、入力映像信号の階調値の度数分布を生成し、入力映像信号の階調値が所定の階調値２０よりも大きい範囲において、度数が大きい上位２つの階調値２１、２２を抽出する。そして、ハロ判定部１０は、上記範囲における階調値の度数の合計を算出し、その合計に対する２つの階調値２１、２２の度数の合計の割合が所定の割合以上である場合に、入力映像がハロの発生しやすい映像であると判定する。また、ハロ判定部１０は、上記合計の割合が所定の割合未満である場合に、入力映像がハロの発生しやすい映像ではないと判定する。
【００３３】
このように、図２の例では、ハロ判定部１０は、度数分布が低階調領域以外で２極化していることをもって、ハロが発生しやすい映像であるとの判定を行っている。これにより、図２に示すような、黒のパターン３以外の部分で、ほぼ一様なグレーのパターン１の中に、グレーのパターン１とは輝度が大きく異なる白のパターン２が含まれている映像を検出でき、映像がハロの発生しやすいものか否かを容易かつ効果的に判定できる。
【００３４】
ここで、入力映像がハロの発生しやすい映像であるか否かの判定を行うタイミングは、さまざまなものが考えられる。例えば、ハロ判定部１０は、上記判定をフレーム毎に行ってもよいし、シーンチェンジを検出し、シーンチェンジを検出したタイミングで行うこととしてもよい。
【００３５】
補正レベル算出部１１は、ハロ判定部１０により入力映像がハロの発生しやすい映像であると判定された場合に、ＬＥＤの発光輝度の補正レベルを算出する。図３は、ＬＥＤの発光輝度の補正レベル算出方法について説明する図である。
【００３６】
図３の縦軸は、ＬＥＤの発光輝度値であり、横軸は入力映像の階調値である。なお、縦軸、および、横軸はそれぞれ、ＬＥＤの最大発光輝度値、および、入力映像の最大階調値を用いて正規化されている。
【００３７】
ハロ判定部１０により入力映像がハロの発生しやすい映像ではないと判定された場合、図３の一点鎖線のグラフに基づいてローカルディミングが行われる。具体的には、ローカルディミングでは、バックライトが複数の領域に分割され、各分割領域に対応する映像領域の階調値が検出される。ここで、映像領域の階調値としては、その映像領域に含まれる各画素の階調値の最大値や平均値が用いられる。そして、その映像領域の階調値を入力映像階調値として、図３の一点鎖線のグラフにより示される関係から、各分割領域におけるＬＥＤの発光輝度が決定される。
【００３８】
ハロ判定部１０により入力映像がハロの発生しやすい映像であると判定された場合、以下に説明するように、ＬＥＤの発光輝度を決定するために用いられるグラフが、図３の一点鎖線のグラフから実線のグラフに切り替えられ、実線のグラフを用いて各分割領域におけるＬＥＤの発光輝度が決定される。なお、図３の例では、一点鎖線の曲線グラフは、２．２のガンマ特性に基づいて設定されているが、ＬＥＤの発光輝度値と入力映像階調値との間の関係は直線グラフであってもよく、入力映像階調の定義にしたがって、つまり入力映像階調が表現する輝度が算出されるように一点鎖線のグラフを定める。
【００３９】
補正レベル算出部１１は、図３の一点鎖線を補正した補正レベルを、図３の実線のグラフのように設定する。ここで、図３の実線のグラフでは、入力映像階調値Ａ、Ｂ’間の範囲において、直線Ｃ’Ｄ’に基づいて決定されるＬＥＤの発光輝度の変動範囲（図３の例では、変動範囲は０）が、一点鎖線の曲線に基づいて決定されるＬＥＤの発光輝度の変動範囲（入力映像階調値Ｂ’に対応するＬＥＤ発光輝度値と入力映像階調値Ａに対応するＬＥＤ発光輝度値の差）よりも小さくなるよう設定されている。これにより、入力映像にハロが発生することを効果的に抑制することができる。
【００４０】
また、入力映像階調値０、Ａ間の範囲においては、直線ＯＣに基づいて決定されるＬＥＤの発光輝度値は、直線Ｃ’Ｄ’に基づいて決定されるＬＥＤの発光輝度の下限値（図３の例では、入力映像階調値Ａに対応するＬＥＤ発光輝度値）よりも小さい発光輝度になるよう設定されている。
【００４１】
すなわち、入力映像階調値０、Ａ間におけるＬＥＤの発光輝度値は、特許文献１の従来技術における発光輝度値のレベル（図３において従来手法として示されているレベル）よりも小さくなっているので、入力映像の低階調領域において、黒浮きを効果的に抑制することができる。
【００４２】
ここで、入力映像階調値Ａ、Ｂ’間の範囲が、特許請求の範囲における第１の範囲に対応し、入力映像階調値０、Ａ間の範囲が、特許請求の範囲における第２の範囲に対応する。なお、後に説明するように、ＬＥＤの発光輝度値を調整する上限として、入力映像階調値Ｂ’の代わりに、入力映像階調値Ｂを用いることとしてもよいが、この場合、入力映像階調値Ａ、Ｂ間の範囲が、特許請求の範囲における第１の範囲に対応することになる。
【００４３】
補正レベル算出部１１は、この入力映像階調値Ａ、Ｂ’を、例えば、以下のようにして決定する。図４は、図３における入力映像階調値Ａ、Ｂ’の決定方法について説明する図である。なお、図４では、ＬＥＤの発光輝度値と入力映像階調値との間の関係が直線グラフで表されているが、図３の一点鎖線で表される曲線グラフの場合も同様にして入力映像階調値Ａ、Ｂ’を決定することができる。
【００４４】
図２を用いて説明したように、ハロ判定部１０は、入力映像がハロの発生しやすい映像であるか否かを判定する場合に、入力映像の階調値の度数分布を生成し、入力映像の階調値が所定の階調値２０よりも大きい範囲において、度数が大きい上位２つの階調値２１、２２を抽出する。
【００４５】
補正レベル算出部１１は、ハロ判定部１０により、入力映像がハロの発生しやすい映像であると判定された場合に、入力映像階調値Ａ、Ｂを、２つの階調値２１、２２の値に設定する。さらに、補正レベル算出部１１は、ＬＥＤの発光による電力消費量を低減させるため、入力映像階調値Ｂを入力映像階調値Ｂ’に修正する。ここで、入力映像階調値Ｂをどの程度減少させるかは、予め実験等を行うことにより決定される。
【００４６】
なお、ハロ判定部１０により、入力映像がハロの発生しやすい映像ではないと判定された場合、補正レベル算出部１１は、ＬＥＤの発光輝度の補正レベルの算出を行わないようにするため、例えば、入力映像階調値Ａ、Ｂ’として負の値を設定したり、Ｂ’＝Ａとしたり、若しくは、検出／未検出という情報をつぎに説明するバックライト輝度調整部１２に出力したりする。
【００４７】
図１の説明に戻ると、バックライト輝度調整部１２は、ＬＥＤの発光輝度を調整する。具体的には、バックライト輝度調整部１２は、バックライトを複数の領域に分割し、各分割領域に対応する入力映像の映像領域の階調値を検出する。例えば、バックライト輝度調整部１２は、その映像領域に含まれる各画素の階調値の最大値や平均値を、その映像領域の階調値として検出する。
【００４８】
そして、バックライト輝度調整部１２は、補正レベル算出部１１から入力映像階調値Ａ、Ｂ’の情報を取得する。この入力映像階調値Ａ、Ｂ’は、補正レベル算出部１１により、例えば、フレーム毎に、あるいは、シーンチェンジが検出されたタイミングで算出されるものである。
【００４９】
入力映像階調値Ａ、Ｂ’が負の値であるなど、入力映像がハロの発生しやすい映像ではないと判定された場合、バックライト輝度調整部１２は、図３の一点鎖線のグラフにより示される関係に従って、フレーム毎に、各映像領域の階調値に対応する分割領域におけるＬＥＤの発光輝度値を決定する。
【００５０】
入力映像階調値Ａ、Ｂ’が負の値でないなど、入力映像がハロの発生しやすい映像であると判定された場合、バックライト輝度調整部１２は、図３の実線のグラフにより示される関係に従って、フレーム毎に、各映像領域の階調値に対応する分割領域におけるＬＥＤの発光輝度値を決定する。
【００５１】
具体的には、バックライト輝度調整部１２の第１の輝度調整部１２ａは、入力映像階調値Ａ、Ｂ’間の階調値を有する映像領域に対応する分割領域のＬＥＤの発光輝度値を、直線Ｃ’Ｄ’により示される関係に従い、一定値（入力映像階調値Ｂ’に対応するＬＥＤの発光輝度値）に決定する。
【００５２】
また、第２の輝度調整部１２ｂは、入力映像階調値０、Ａ間の階調値を有する映像領域に対応する分割領域のＬＥＤの発光輝度値を、直線ＯＣ’の関係に従い、入力映像階調値Ｂ’に対応するＬＥＤの発光輝度値と０の間の値に決定する。
【００５３】
ここで、バックライト輝度調整部１２は、図３の一点鎖線のグラフ、および、実線のグラフを表す式を保持し、入力映像階調値に対応するＬＥＤの発光輝度値を、その式を用いて算出する。あるいは、バックライト輝度調整部１２は、図３の一点鎖線のグラフ、および、実線のグラフを数値で表すテーブルを保持し、そのテーブルを参照して、入力映像階調値に対応するＬＥＤの発光輝度値を決定することとしてもよい。
【００５４】
図１の説明に戻ると、バックライト制御部１３は、バックライト１４のＬＥＤを制御し、バックライト輝度調整部１２により決定された各分割領域のＬＥＤの発光輝度値でＬＥＤを発光させる。バックライト１４は、液晶パネル１７を照明する光源としてＬＥＤを使用するバックライトである。
【００５５】
液晶階調調整部１５は、バックライト輝度調整部１２により決定された各分割領域のＬＥＤの発光輝度値の情報を取得し、また、入力映像信号を取得し、最終的に得られる映像の画質が入力映像の画質と等価になるように液晶パネルの出力階調値を決定する。
【００５６】
液晶制御部１６は、液晶パネル１７を制御し、液晶階調調整部１５により決定された出力階調値で液晶パネル１７に液晶表示を行わせる。液晶パネル１７は、入力映像信号に応じた映像を表示する液晶パネルである。なお、バックライト制御部１３と液晶制御部１６はそれぞれ、バックライト１４の発光と液晶パネル１７の表示が同期するようにバックライト１４と液晶パネル１７を制御する。
【００５７】
図５は、黒のパターンを含む映像に対する本発明の適用について説明する図である。図５（Ａ）は、図１７（Ａ）と同じ図である。本発明では、図５（Ｂ）に示すように、グレーのパターン１に対応するＬＥＤの発光輝度４を、図１７（Ｂ）の場合よりも増加させるが、黒のパターン８に対応するＬＥＤの発光輝度は増加させない。
【００５８】
図１８（Ｂ）の場合、黒のパターン８に対応するＬＥＤの発光輝度も増加させるため、黒浮きが顕著となる可能性があったが、本発明では、黒のパターン８に対応するＬＥＤの発光輝度を増加させないため、黒浮きを抑制できるとともに、図５（Ｃ）に示すように、白のパターン２の周りのハロの発生も抑制することができる。
【００５９】
さて、これまで映像表示装置の実施形態の説明を行ったが、本発明は上述した実施形態に限定されず、本発明の要旨を逸脱しない範囲内で各種の変形、修正が可能である。
【００６０】
例えば、上記実施形態では、入力映像がハロの発生しやすい映像であると判定された場合、図３の実線のグラフで示される関係を用いて、ＬＥＤ発光輝度値を決定することとしたが、ＬＥＤ発光輝度値を決定するためのグラフは図３に示されるものに限定されるものではない。図６は、ＬＥＤ発光輝度値の決定に用いられる各種のグラフを示す図である。
【００６１】
図６（Ａ）では、図４で説明した入力映像階調値Ａ、Ｂが用いられ、入力映像階調値Ａ、Ｂ間の階調値を有する映像領域に対応する分割領域のＬＥＤの発光輝度値が、直線ＣＤの関係に従い、一定値（入力映像階調値Ｂに対応するＬＥＤの発光輝度値）に決定される。
【００６２】
また、入力映像階調値０、Ａ間の階調値を有する映像領域に対応する分割領域のＬＥＤの発光輝度値は、直線ＯＣの関係に従い、入力映像階調値Ｂに対応するＬＥＤの発光輝度値と０の間の値に決定される。
【００６３】
図６（Ｂ）では、図６（Ａ）の直線ＯＣが、下に凸の曲線に変更されており、さらに図６（Ｃ）では、図６（Ａ）の直線ＯＣが、直線ＣＥと、ハロ対策を行わない場合の直線ＯＥに変更されている。
【００６４】
また、図６（Ｄ）では、図６（Ａ）の直線ＣＤが、傾きが正である直線Ｃ’Ｄに変更されており、図６（Ａ）の直線ＯＣが、直線ＯＣ’に変更されている。図６（Ｅ）では、図６（Ｄ）の直線ＯＣ’が、下に凸の曲線に変更されており、さらに図６（Ｆ）では、図６（Ｄ）の直線ＯＣ’が、直線Ｃ’Ｅと、ハロ対策を行わない場合の直線ＯＥに変更されている。
【００６５】
さらに、図６（Ｇ）では、図６（Ａ）の直線ＣＤが、直線ＣＤと同じく傾きが０である直線Ｃ’Ｄ’に変更されており、図６（Ａ）の直線ＯＣが、直線ＯＣ’に変更されている。図６（Ｈ）では、図６（Ｇ）の直線ＯＣ’が、下に凸の曲線に変更されており、さらに図６（Ｉ）では、図６（Ｇ）の直線ＯＣ’が、直線Ｃ’Ｅと、ハロ対策を行わない場合の直線ＯＥに変更されている。
【００６６】
図６において、左上の実線のグラフほど、入力映像階調値Ａ、Ｂ間で、ＬＥＤ発光輝度値の差が小さくなるので、ハロの発生をより抑制することができる。また、右下の実線のグラフほど、ＬＥＤ発光輝度値が小さくなるので、より電力消費量を削減することができる。
【００６７】
例えば、図６（Ａ）の実線のグラフにおける直線ＣＤにより決定されるＬＥＤ発光輝度値は、図６（Ｉ）の実線のグラフにおける直線Ｃ’Ｄ’により決定されるＬＥＤ発光輝度値よりも大きな値となるので、図６（Ａ）の実線のグラフを用いた場合、ハロの発生をより抑制することができ、一方、図６（Ｉ）の実線のグラフを用いた場合、電力消費量をより削減することができる。
【００６８】
なお、図６に示したグラフのうち、いずれかを選択し、選択されたグラフを固定的に用いることとしてもよいし、用いるグラフを切り替え可能にすることとしてもよい。例えば、バックライト輝度調整部１２は、輝度値が所定の値よりも小さい画素数の全画素数に対する割合が、所定の割合よりも大きくなったことを検出した場合に、入力映像階調値が所定値よりも小さい領域において、ＬＥＤ発光輝度値が、上記検出前に用いていたグラフよりも小さくなるグラフ（例えば、図６（Ｃ）、（Ｆ）、（Ｉ）など）にグラフを切り替えることとしてもよい。これにより、入力映像に黒のパターンが多い場合に、低階調の映像領域に対応する分割領域のＬＥＤ発光輝度値を低くすることができ、黒浮きの発生を抑制することができる。
【００６９】
また、映像表示装置に光センサを備え、その光センサで周囲照度を測定し、周囲照度が所定値よりも小さくなったことを検出した場合に、バックライト輝度調整部１２は、入力映像階調値が所定値よりも小さい領域において、ＬＥＤ発光輝度値が、上記検出前に用いていたグラフよりも小さくなるグラフ（例えば、図６（Ｃ）、（Ｆ）、（Ｉ）など）にグラフを切り替えることとしてもよい。これにより、周囲照度が低い場合に、低階調の映像領域に対応する分割領域のＬＥＤ発光輝度値を低くすることができ、黒浮きの発生を抑制することができる。
【００７０】
また、ハロ対策重視モード、電力消費量削減モードなどの映像表示モードを図６の実線で表される各グラフに対応付け、ユーザから映像表示モードの切り替え指示を受け付けることにより図６の各グラフを切り替えることとしてもよい。例えば、ハロ対策重視モードには図６（Ａ）の実線で表されるグラフが対応付けられ、電力消費量削減モードには図６（Ｇ）の実線で表されるグラフが対応付けられることとしてもよい。これにより、ユーザがハロ対策を重視するのか、電力消費量削減を重視するかに応じてＬＥＤの発光輝度を適切に制御することができる。
【００７１】
また、ユーザによる映像表示モードの切り替えや映像の変化による補正レベルの変化に伴ってグラフ形状の変更を行う場合に、急にＬＥＤ点灯状態が切り替えられることによる映像の見た目の違和感を低減させるため、グラフ形状の変更を段階的に行うこととしてもよい。
【００７２】
図７は、映像表示モード切り替え時、若しくは映像の変化により補正レベルが変化する時のグラフ形状の変更について説明する図である。図７では、図７（Ａ）の実線で表されるグラフと図７（Ｂ）の実線で表されるグラフとの間でグラフ形状を変更する例について示している。図７（Ｂ）の実線で表されるグラフは、ＬＥＤの発光輝度値を調整する上限として、入力映像階調値Ｂの代わりに、入力映像階調値Ｂ’が用いられる点で、図７（Ａ）の実線で表されるグラフとは異なっている。
【００７３】
ユーザによる映像表示モードの切り替えの場合には、図７（Ａ）はハロ対策重視、図７（Ｂ）は電力消費量削減重視のグラフであり、入力映像の変化の場合には、図７（Ａ）はハロが発生しやすい映像、図７（Ｂ）は図７（Ａ）に比べてハロが発生しにくい映像を意味する。
【００７４】
例えば、Ｃの座標値を（Ａ１ｘ，Ａ１ｙ）、Ｄの座標値を（Ｂ１ｘ，Ｂ１ｙ）、Ｃ’の座標値を（Ａ２ｘ，Ａ２ｙ）、Ｄ’の座標値を（Ｂ２ｘ，Ｂ２ｙ）とする。例えば、ユーザが、ハロ対策重視モードから電力削減量重視モードに切り替えた場合、もしくは入力映像がハロ発生しにくい映像に変化した場合、バックライト輝度調整部１２は、入力映像階調値Ｂによりグラフ形状が決定される図７（Ａ）の実線で表されるグラフから、入力映像階調値Ｂ’によりグラフ形状が決定される図７（Ｂ）の実線で表されるグラフに、用いるグラフ形状を、所定数のフレームにわたって段階的に変更する。これにより、ある入力映像階調値におけるＬＥＤ発光輝度値が段階的に変更されることになる。
【００７５】
具体的には、バックライト輝度調整部１２は、Ｃの座標値（Ａ１ｘ，Ａ１ｙ）をＣ’の座標値（Ａ２ｘ，Ａ２ｙ）に段階的に変化させる。また、バックライト輝度調整部１２は、Ｄの座標値（Ｂ１ｘ，Ｂ１ｙ）をＤ’の座標値（Ｂ２ｘ，Ｂ２ｙ）に段階的に変化させる。
【００７６】
図７（Ｂ）の実線で表されるグラフから、図７（Ａ）の実線で表されるグラフにグラフ形状を変更する場合も同様に、バックライト輝度調整部１２は、図７（Ｂ）の実線で表されるグラフから図７（Ａ）の実線で表されるグラフに、用いるグラフ形状を、所定数のフレームにわたって段階的に変更する。これにより、ある入力映像階調値におけるＬＥＤ発光輝度値が段階的に変更されることになる。
【００７７】
具体的には、バックライト輝度調整部１２は、Ｃ’の座標値（Ａ２ｘ，Ａ２ｙ）をＣの座標値（Ａ１ｘ，Ａ１ｙ）に段階的に変化させる。また、バックライト輝度調整部１２は、Ｄ’の座標値（Ｂ２ｘ，Ｂ２ｙ）をＤの座標値（Ｂ１ｘ，Ｂ１ｙ）に段階的に変化させる。
【００７８】
また、シーンチェンジが検出されたタイミングで入力映像がハロの発生しやすい映像であるか否かの判定を行い、ハロ対策を行う場合のグラフとハロ対策を行わない場合のグラフとの間でグラフ形状が変更される場合に、急にグラフ形状が切り替えられることによる映像の見た目の違和感を低減させるため、グラフ形状を段階的に変更することとしてもよい。
【００７９】
図８は、ハロの発生しやすい映像か否かの判定に応じて行われるグラフ形状の変更について説明する図である。図８では、図８（Ａ）の実線で表されるグラフと図８（Ｂ）の実線で表されるグラフとの間でグラフ形状を変更する例について示している。図８（Ａ）の実線で表されるグラフは、ハロ対策を行わない場合のグラフであり、図８（Ｂ）の実線で表されるグラフは、ハロ対策を行う場合のグラフである。
【００８０】
例えば、Ｃ’の座標値を（Ａ２ｘ，Ａ２ｙ）、Ｄ’の座標値を（Ｂ２ｘ，Ｂ２ｙ）、Ｅの座標を（Ａ２ｘ，Ａ３ｙ）とする。上述した実施形態では、シーンチェンジ等により、入力映像がハロの発生しやすい映像でないものからハロの発生しやすい映像に切り替わったと判定された場合、つぎのシーンチェンジが検出されるまで、図８（Ａ）の実線で表されるグラフから図８（Ｂ）の実線で表されるグラフへとグラフの切り替えが発生する。
【００８１】
このとき、バックライト輝度調整部１２は、図８（Ａ）の実線で表されるグラフから図８（Ｂ）の実線で表されるグラフに、用いるグラフ形状を、所定数のフレームにわたって段階的に変更する。これにより、ある入力映像階調値におけるＬＥＤ発光輝度値が段階的に変更されることになる。具体的には、バックライト輝度調整部１２は、Ｅの座標値（Ａ２ｘ，Ａ３ｙ）をＣ’の座標値（Ａ２ｘ，Ａ２ｙ）に段階的に変化させる。
【００８２】
また、上述した実施形態では、入力映像がハロの発生しやすい映像からハロの発生しやすい映像でないものに切り替わったと判定された場合、図８（Ｂ）の実線で表されるグラフから図８（Ａ）の実線で表されるグラフへとグラフの切り替えが発生する。
【００８３】
このとき、バックライト輝度調整部１２は、図８（Ｂ）の実線で表されるグラフから図８（Ａ）の実線で表されるグラフに、用いるグラフ形状を、所定数のフレームにわたって段階的に変更する。これにより、ある入力映像階調値におけるＬＥＤ発光輝度値が段階的に変更されることになる。具体的には、バックライト輝度調整部１２は、Ｃ’の座標値（Ａ２ｘ，Ａ２ｙ）をＥの座標値（Ａ２ｘ，Ａ３ｙ）に段階的に変化させる。
【００８４】
また、上記実施形態では、入力映像がハロの発生しやすい映像であるか否かを、入力映像の階調値の度数分布を生成することにより判定することとしたが、これに限定されず、他の方法で判定することとしてもよい。
【００８５】
また、ハロ判定部１０は、入力映像において、輝度値が所定の範囲内にある画素を連結することにより複数の領域を検出し、各領域を代表する代表輝度値（例えば、最大輝度値や平均輝度値）を検出することとしてもよい。
【００８６】
例えば、ハロ判定部１０は、所定の階調値よりも大きい代表階調値のうち、最大の階調値と最小の階調値の差が所定値以上である場合に、入力映像がハロの発生しやすい映像であると判定し、その差が所定値未満である場合に、入力映像がハロの発生しやすい映像ではないと判定する。上記所定の階調値は、図４における階調値２０に相当するものである。そして、ハロ判定部１０は、図４で説明した入力映像階調値Ａ、Ｂをそれぞれ、上述した最小の階調値、最大の階調値に設定する。
【００８７】
また、上記実施形態では、ハロ判定部１０は、図２を用いて説明したように、入力映像信号の階調値が所定の階調値２０よりも大きい範囲において、度数が大きい上位２つの階調値２１、２２を抽出し、上記範囲における階調値の度数の合計に対する２つの階調値２１、２２の度数の合計の割合が所定の割合以上であるか否かを検出することにより、入力映像がハロの発生しやすい映像であるか否かを判定することとしているが、上記所定の割合にヒステリシス特性を持たせることとしてもよい。
【００８８】
具体的には、上記所定の割合は、入力映像がハロの発生しやすい映像ではないと判定されている状態で、入力映像信号の階調値がハロの発生しやすい映像か否かを判定する場合と、入力映像がハロの発生しやすい映像であると判定されている状態で、入力映像信号の階調値がハロの発生しやすい映像か否かを判定する場合とで、異なる割合に設定される。例えば、前者に対しては、所定の割合は０．９８に設定され、後者に対しては、所定の割合は０．９５に設定される。
【００８９】
このように、上記所定の割合にヒステリシス特性を持たせることにより、ＬＥＤの発光輝度の決定に用いられるグラフが図３の一点鎖線のグラフと実線のグラフとの間で頻繁に切り換わることを抑制し、急にグラフ形状が切り替えられることにより生じる映像の見た目の違和感を低減させることができる。
【００９０】
また、上記実施形態では、ハロ判定部１０が、入力映像がハロの発生しやすい映像であるか否かの判定をフレーム単位、あるいは、シーンチェンジが検出されたタイミングで行い、入力映像がハロの発生しやすい映像であると判定された場合に、バックライト輝度調整部１２が、図３の実線のグラフを用いてＬＥＤの発光輝度を調整することとしたが、所定のフレーム数以上の入力映像が連続してハロの発生しやすい映像であるとハロ判定部１０により判定された場合に、バックライト輝度調整部１２が、上記ＬＥＤの発光輝度の調整を行うこととしてもよい。
【００９１】
また、所定のフレーム数以上の入力映像が連続してハロの発生しやすい映像ではないとハロ判定部１０により判定された場合に、バックライト輝度調整部１２が、図３の一点鎖線のグラフを用いてＬＥＤの発光輝度の調整を行うこととしてもよい。
【００９２】
このように、所定のフレーム数以上の連続する入力映像を用いて、入力映像がハロの発生しやすい映像であるか否かを判定することにより、ＬＥＤの発光輝度の決定に用いられるグラフが図３の一点鎖線のグラフと実線のグラフとの間で頻繁に切り換わることを抑制し、急にグラフ形状が切り替えられることにより生じる映像の見た目の違和感を低減させることができる。
【００９３】
さらに、上記実施形態では、図５で説明したように、黒のパターン８に対応するＬＥＤの発光輝度を増加させずに、グレーのパターン１に対応するＬＥＤの発光輝度４を増加させることとしたが、よりハロの発生を抑制するため、白のパターン２に対応するＬＥＤの発光輝度５を小さくすることとしてもよい。以下に、この処理について詳しく説明する。
【００９４】
図９は、ハロ対策をしない場合の表示輝度について説明する図である。図９（Ａ）は、斜め視における光漏れが小さい場合の例であり、図９（Ｂ）は、斜め視における光漏れが大きい場合の例である。このような光漏れの程度は、ガンマ特性などのパネル特性により変化する。
【００９５】
図９には、ローカルディミングにより決定されたＬＥＤの発光輝度４、５と、そのＬＥＤの発光により得られるバックライトの輝度分布６、液晶パネル１７を正面からみた場合の液晶パネル１７の透過率３１が示されている。例えば、ＬＥＤの発光輝度４は、図１５〜図１８におけるグレーのパターン１に対応するＬＥＤの発光輝度であり、ＬＥＤの発光輝度５は、図１５〜図１８における白のパターン２に対応するＬＥＤの発光輝度である。
【００９６】
また、図９には、液晶パネル１７の入力映像に対する表示輝度の期待値３０、液晶パネル１７を斜めからみた場合の液晶パネル１７の透過率３２、液晶パネル１７を斜めからみた場合の液晶パネル１７の表示輝度３３が示されている。
【００９７】
図９（Ａ）の楕円４０で囲まれた部分に示されるように、白のパターン２に近いグレーのパターン１の領域では光漏れが発生するため、液晶パネル１７を斜めからみた場合の液晶パネル１７の透過率３２は、液晶パネル１７を正面からみた場合の液晶パネル１７の透過率３１よりも大きくなる。
【００９８】
また、図９（Ｂ）の場合は、図９（Ａ）の場合よりも光漏れが大きいため、図９（Ｂ）の楕円４２で囲まれた部分に示されるように、液晶パネル１７を斜めからみた場合の液晶パネル１７の透過率３２はさらに大きくなっている。
【００９９】
液晶パネル１７を斜めからみた場合の液晶パネル１７の表示輝度３３は、バックライトの輝度分布６と、液晶パネル１７を斜めからみた場合の液晶パネル１７の透過率３２に依存する。
【０１００】
そのため、図９（Ａ）、（Ｂ）では、楕円４１、４３で囲まれた部分に示されるように、グレーのパターン１の領域において、液晶パネル１７の表示輝度３３が、白のパターン２の領域に近くなるほど大きくなり、ハロが発生する。
【０１０１】
また、図１０は、ハロ対策をする場合の表示輝度について説明する図である。図１０（Ａ）は、斜め視における光漏れが小さい場合の例であり、図１０（Ｂ）は、斜め視における光漏れが大きい場合の例である。
【０１０２】
図１０（Ａ）の例では、図９（Ａ）の例よりも、図１０（Ａ）の楕円４４で囲まれた部分に示されるように、グレーのパターン１の領域におけるＬＥＤの発光輝度４を大きくしている。これにより、グレーのパターン１の領域におけるＬＥＤの発光輝度４と、白のパターン２の領域におけるＬＥＤの発光輝度５との差が小さくなり、図１０（Ａ）の楕円４５で囲まれた部分に示されるように、ハロの発生が抑制される。
【０１０３】
同様に、図１０（Ｂ）の例では、図９（Ｂ）の例よりも、グレーのパターン１の領域におけるＬＥＤの発光輝度４を大きくしている。しかし、図１０（Ｂ）の場合は、図１０（Ａ）よりも光漏れが大きいため、図１０（Ｂ）の楕円４６で囲まれる部分に示されるように、液晶パネル１７を斜めからみた場合の液晶パネル１７の透過率３２はさらに大きくなっている。
【０１０４】
その結果、図１０（Ｂ）の楕円４７で囲まれる部分に示されるように、グレーのパターン１の領域において、液晶パネル１７の表示輝度３３が、白のパターン２の領域に近くなるほど急激に大きくなり、ハロが目立つようになる。
【０１０５】
これを抑制するため、グレーのパターン１に対応するＬＥＤの発光輝度４をさらに大きくすることも考えられる。図１１は、ハロが顕著に発生する場合のハロの抑制について説明する図である。
【０１０６】
図１１では、楕円４８で囲まれる部分に示されるように、グレーのパターン１に対応するＬＥＤの発光輝度４が図１０（Ｂ）の場合よりもさらに大きくなっている。この場合、グレーのパターン１の領域におけるＬＥＤの発光輝度４と、白のパターン２の領域におけるＬＥＤの発光輝度５との差が小さくなるため、ハロの発生が抑制されるが、グレーのパターン１の領域におけるＬＥＤの発光輝度４が大きくなりすぎるという問題がある。
【０１０７】
そこで、本実施形態では、図１１のようにグレーのパターン１の領域におけるＬＥＤの発光輝度４をさらに大きくする代わりに、白のパターン２の領域におけるＬＥＤの発光輝度５を小さくする。
【０１０８】
図１２は、本発明に係るハロの抑制方法について説明する図である。この方法では、図１２の楕円５０で囲まれた部分に示されるように、グレーのパターン１に対応するＬＥＤの発光輝度４を大きくする一方で、楕円５１で囲まれた部分に示されるように、白のパターン２に対応するＬＥＤの発光輝度５を小さくする。
【０１０９】
これにより、グレーのパターン１の領域におけるＬＥＤの発光輝度４と、白のパターン２の領域におけるＬＥＤの発光輝度５との差が小さくなるため、ハロの発生が抑制される。
【０１１０】
また、グレーのパターン１の領域におけるＬＥＤの発光輝度４をそれほど大きくしなくとも、発光輝度４と発光輝度５の差を小さくできるため、グレーのパターン１の領域における輝度の過度な上昇を抑制することができる。
【０１１１】
図１３は、図１２に示したハロの抑制方法におけるＬＥＤ発光輝度の補正レベル算出方法について説明する図である。図１３には、図３に実線で示したグラフが比較のために示されている。図１３の縦軸は、ＬＥＤ発光輝度値であり、横軸は入力映像階調値である。なお、縦軸、および、横軸はそれぞれ、ＬＥＤ発光輝度値の最大値、および、入力映像階調値の最大値を用いて正規化されている。
【０１１２】
図３の場合と同様に、入力映像がハロの発生しやすい映像ではないと判定された場合、図１３の一点鎖線のグラフに基づいてローカルディミングが行われる。具体的には、ローカルディミングでは、バックライトが複数の領域に分割され、各分割領域に対応する映像領域の階調値が検出される。ここで、映像領域の階調値としては、その映像領域に含まれる各画素の階調値の最大値や平均値が用いられる。そして、その映像領域の階調値を入力映像階調値として、図１３の一点鎖線のグラフにより示される関係から、各分割領域におけるＬＥＤの発光輝度が決定される。
【０１１３】
一方、入力映像がハロの発生しやすい映像であると判定された場合、ＬＥＤの発光輝度を決定するために用いられるグラフが、図３の一点鎖線のグラフから二点鎖線のグラフに切り替えられ、二点鎖線のグラフを用いて各分割領域におけるＬＥＤの発光輝度が決定される。なお、図１３の例では、一点鎖線の曲線グラフは、２．２のガンマ特性に基づいて設定されているが、ＬＥＤの発光輝度値と入力映像階調値との間の関係は直線グラフであってもよく、入力映像階調の定義にしたがって、つまり入力映像階調が表現する輝度が算出されるように一点鎖線のグラフが定められる。
【０１１４】
ここで、入力映像階調値が図１３のＡとＦの間の値である場合、実線のグラフの場合と同様に二点鎖線のグラフの場合においてもＬＥＤの発光輝度値が大きくなるが、入力映像階調値がＦよりも大きい値である場合、実線のグラフや一点鎖線のグラフの場合よりも二点鎖線のグラフの場合の方がＬＥＤの発光輝度値が小さくなる。
【０１１５】
このようなグラフを用いてＬＥＤの発光輝度を決定することにより、図１２で説明したように、グレーのパターン１の領域におけるＬＥＤの発光輝度４と白のパターン２の領域におけるＬＥＤの発光輝度５との差が大きくならないようにすることができ、ハロの発生を抑制することができる。
【０１１６】
ここで、入力映像階調値Ａ、Ｂ間の範囲が、特許請求の範囲における第１の範囲に対応し、入力映像階調値０、Ａ間の範囲が、特許請求の範囲における第２の範囲に対応し、入力映像階調値Ｂ、１間の範囲が、特許請求の範囲における第３の範囲に対応する。
【０１１７】
また、図１３における入力映像階調Ａ、Ｂは、例えば、図４で説明したのと同様の方法で決定される。図１４は、図１３における入力映像階調値Ａ、Ｂの決定方法について説明する図である。なお、図１４では、ＬＥＤ発光輝度値と入力映像階調値との間の関係が直線グラフで表されているが、図１３の二点鎖線で表される曲線グラフの場合も同様にして入力映像階調値Ａ、Ｂを決定することができる。
【０１１８】
具体的には、図１に示した映像表示装置のハロ判定部１０は、入力映像がハロの発生しやすい映像であるか否かを判定する場合に、入力映像の階調値の度数分布を生成し、入力映像の階調値が所定の階調値２０よりも大きい範囲において、度数が大きい上位２つの階調値２１、２２を抽出する。ここで、所定の階調値２０は、図２で説明した階調値２０に相当するものである。
【０１１９】
そして、補正レベル算出部１１は、ハロ判定部１０により、入力映像がハロの発生しやすい映像であると判定された場合に、入力映像階調値Ａ、Ｂを、２つの階調値２１、２２の値に設定する。
【０１２０】
また、ハロ判定部１０により、入力映像がハロの発生しやすい映像ではないと判定された場合、補正レベル算出部１１は、ＬＥＤの発光輝度の補正レベルの算出を行わないようにするため、例えば、入力映像階調値Ａ、Ｂとして負の値を設定したり、Ｂ＝Ａとしたり、若しくは、検出／未検出という情報をバックライト輝度調整部１２に出力する。
【０１２１】
なお、入力映像階調値Ａ、Ｂの設定方法はこれに限定されず、他の方法を用いることとしてもよい。例えば、前述のように、ハロ判定部１０は、入力映像において、輝度値が所定の範囲内にある画素を連結することにより複数の領域を検出し、各領域を代表する代表輝度値（例えば、最大輝度値や平均輝度値）を検出することとしてもよい。
【０１２２】
そして、ハロ判定部１０は、所定の階調値よりも大きい代表階調値のうち、最大の階調値と最小の階調値の差が所定値以上である場合に、入力映像がハロの発生しやすい映像であると判定し、その差が所定値未満である場合に、入力映像がハロの発生しやすい映像ではないと判定する。上記所定の階調値は、図１４における階調値２０に相当するものである。そして、ハロ判定部１０は、図１４で説明した入力映像階調値Ａ、Ｂをそれぞれ、上述した最小の階調値、最大の階調値に設定する。
【０１２３】
また、入力映像がハロの発生しやすい映像であると判定された場合、図１３の一点鎖線のグラフから二点鎖線のグラフにＬＥＤ発光輝度の決定用のグラフが切り替えられるが、補正レベル算出部１１は、入力映像階調値Ｂに対応するＬＥＤ発光輝度値の下げ幅Ｙを、例えば、入力映像階調値Ａに対応するＬＥＤ発光輝度値の上げ幅Ｘと、図１４に示した度数分布における入力映像階調値Ａ、Ｂの度数とから、以下の式１を用いて決定する。
【０１２４】
Ｙ＝Ｘ×（入力映像階調値Ａの度数）／（入力映像階調値Ｂの度数）×（調整係数）
・・・（式１）
【０１２５】
ただし、入力映像階調値Ａに対応するＬＥＤ発光輝度値が上げ幅Ｘだけ増加し、入力映像階調値Ｂに対応するＬＥＤ発光輝度値が下げ幅Ｙだけ減少した結果、図１３の二点鎖線において、入力映像階調値Ｂに対応するＬＥＤ発光輝度値が入力映像階調値Ａに対応するＬＥＤ発光輝度値よりも小さくなった場合は、入力映像階調値Ａに対応するＬＥＤ発光輝度値が、入力映像階調値Ｂに対応するＬＥＤ発光輝度値以下となるよう上げ幅Ｘが調整される。
【０１２６】
ここで、入力映像階調値Ａは、例えば、図２のグレーのパターン１の入力映像階調値に対応し、入力映像階調値Ｂは、図２の白のパターン２の入力映像階調値に対応する。ローカルディミングを行う際、図１２で説明したように、グレーのパターン１に対応する領域のＬＥＤの発光輝度を大きくするが、その領域から漏れた光の影響により白のパターン２に対応する領域の表示輝度も増加することになるため、白のパターン２に対応する領域のＬＥＤの発光輝度を小さくすることができる。すなわち、図１３に示したように、入力映像階調値ＢにおけるＬＥＤの発光輝度を一点鎖線のグラフの値よりも小さくすることができる。
【０１２７】
なお、上記式１において、入力映像階調値Ａの度数の代わりに、図１４に示した度数の分布を考慮して、入力映像階調値がＡ±α（αは、整数）の範囲に含まれる度数を用いることとしてもよい。また、入力映像階調値Ｂの度数の代わりに、入力映像階調値がＢ±β（βは、整数）の範囲に含まれる度数を用いることとしてもよい。
【０１２８】
また、入力映像階調値Ａに対応する領域におけるＬＥＤの発光輝度の増加が入力映像階調値Ｂに対応する領域の輝度に与える影響は、入力映像階調値Ａに対応する領域と入力映像階調値Ｂに対応する領域との間の距離に依存する。そのため、その距離の情報が得られる場合には、式１を用いて下げ幅Ｙを算出する代わりに、入力映像階調値Ｂに対応する領域の輝度の増加量を下げ幅Ｙとすることができる。
【０１２９】
上述した式１では、入力映像階調値Ａに対応する領域と入力映像階調値Ｂに対応する領域との間の距離について考慮していないため、式１における調整係数は、入力映像階調値Ｂに対応する領域において輝度が下がり過ぎることを防止するために用いられる。
【０１３０】
また、図１３に示す二点鎖線のグラフの形状は、図１４に示した度数分布が変化するのに応じて変更されるが、図７で説明したように、グラフ形状を段階的に変更することとしてもよい。
【０１３１】
同様に、入力映像がハロの発生しやすい映像でないものからハロの発生しやすい映像に切り替わったと判定された場合に、図１３に示す一点鎖線のグラフから二点鎖線のグラフにグラフの切り替えが発生し、入力映像がハロの発生しやすい映像からハロの発生しやすい映像でないものに切り替わったと判定された場合に、図１３に示す二点鎖線のグラフから一点鎖線のグラフにグラフの切り替えが発生するが、図８で説明したように、グラフ形状を段階的に変更することとしてもよい。これにより、グラフ形状の急激な変化によって生じる違和感を低減させることができる。
【符号の説明】
【０１３２】
１…グレーのパターン、２…白のパターン、３…分割領域、４，５，９…ＬＥＤの発光輝度、６…バックライトの輝度分布、７…液晶パネルの出力階調値、８…黒のパターン、１０…ハロ判定部、１１…補正レベル算出部、１２…バックライト輝度調整部、１２ａ…第１の輝度調整部、１２ｂ…第２の輝度調整部、１３…バックライト制御部、１４…バックライト、１５…液晶階調調整部、１６…液晶制御部、１７…液晶パネル、２０〜２２…階調値、３０…表示輝度（期待値）、３１…ＬＣＤ透過率（正面視）、３２…ＬＣＤ透過率（斜め視）、３３…表示輝度（斜め視）。
【図１】
0005452666.tif 000002
【図２】
0005452666.tif 000003
【図３】
0005452666.tif 000004
【図４】
0005452666.tif 000005
【図５】
0005452666.tif 000006
【図６】
0005452666.tif 000007
【図７】
0005452666.tif 000008
【図８】
0005452666.tif 000009
【図９】
0005452666.tif 000010
【図１０】
0005452666.tif 000011
【図１１】
0005452666.tif 000012
【図１２】
0005452666.tif 000013
【図１３】
0005452666.tif 000014
【図１４】
0005452666.tif 000015
【図１５】
0005452666.tif 000016
【図１６】
0005452666.tif 000017
【図１７】
0005452666.tif 000018
【図１８】
0005452666.tif 000019